(57)【要約】【課題】  商品の偽造防止を防ぎ、より本物性を高める。【解決手段】  無線タグの読み取り機（リーダ）で無線タグ３０４のデータを読み取り、そのデータを暗号化し、商品３０２に印刷等で３０６に表示を行う。本物かどうかを確認する場合、対称暗号や加工処理を使った商品であれば、無線タグの読み取り機で、無線タグ３０４のデータを読み取り、それを暗号化したデータが表示されたデータ３０６と一致すれば、本物として確かめることができる。非対称暗号を使った場合は、表示されているデータ３０６を公開鍵で暗号化し、そのデータが無線タグ３０４のデータと一致すれば、本物とみなすことができる。【選択図】    図１４
2005216316.tif 000002
【特許請求の範囲】
【請求項１】
加工される情報であり、商品を識別するための情報を記憶するＩＣを有する無線タグの前記加工される情報と、前記商品或いは該商品に付随する商品付随物に表示された前記加工される情報に基づく加工情報とを読み取る読み取り手段と、
該読み取り手段によって読み取られた一又は複数の前記加工される情報を所定の加工条件により加工する加工手段と、
該加工手段で加工された加工情報と前記読み取り手段で読み取られた前記加工情報とが一致するか、しないかを判定する判定手段と、
を備える
ことを特徴とするリーダ。
【請求項２】
加工される第一の情報であり、商品を識別するための情報を記憶するＩＣを有する無線タグの前記加工される第一の情報と、前記商品或いは該商品に付随する商品付随物に表示された加工される第二の情報と、前記商品或いは前記商品付随物に表示された前記加工される第一の情報及び前記加工される第二の情報に基づく加工情報とを読み取る読み取り手段と、
該読み取り手段によって読み取られた一又は複数の前記加工される第一の情報、及び前記加工される第二の情報を用いて所定の加工条件により加工する加工手段と、
該加工手段で加工された加工情報と前記読み取り手段で読み取られた前記加工情報とが一致するか、しないかを判定する判定手段と、
を備える
ことを特徴とするリーダ。
【請求項３】
加工される第一の情報であり、商品を識別するための情報を記憶するＩＣを有する無線タグの前記加工される第一の情報と、前記商品或いは該商品に付随する商品付随物に付加された前記無線タグとは別の第二の無線タグに記憶された加工される第二の情報と、前記商品或いは前記商品付随物に表示された前記加工される第一の情報及び前記加工される第二の情報に基づく加工情報とを読み取る読み取り手段と、
該読み取り手段によって読み取られた一又は複数の前記加工される第一の情報、及び前記加工される第二の情報を用いて所定の加工条件により加工する加工手段と、
該加工手段で加工された加工情報と前記読み取り手段で読み取られた前記加工情報とが一致するか、しないかを判定する判定手段と、
を備える
ことを特徴とするリーダ。
【請求項４】
加工される情報であり、商品を識別するための情報を記憶するＩＣを有する無線タグの前記加工される情報と、前記商品或いは該商品に付随する商品付随物に表示された前記加工される情報に基づく加工情報とを読み取る読み取り手段と、
該読み取り手段によって読み取られた前記加工情報を所定の加工条件により加工する加工手段と、
該加工手段で加工された加工情報データと前記読み取り手段で読み取られた一又は複数の前記加工される情報とが一致するか、しないかを判定する判定手段と、
を備える
ことを特徴とするリーダ。
【請求項５】
加工される第一の情報であり、商品を識別するための情報を記憶するＩＣを有する無線タグの前記加工される第一の情報と、前記商品或いは該商品に付随する商品付随物に表示された加工される第二の情報と、前記商品或いは前記商品付随物に表示された前記加工される第一の情報及び前記加工される第二の情報に基づく加工情報とを読み取る読み取り手段と、
該読み取り手段によって読み取られた前記加工情報を所定の加工条件により加工する加工手段と、
該加工手段で加工された加工情報データと前記読み取り手段で読み取られた一又は複数の前記加工される第一の情報、及び第二の情報に基づくデータとが一致するか、しないかを判定する判定手段と、
を備える
ことを特徴とするリーダ。
【請求項６】
加工される第一の情報であり、商品を識別するための情報を記憶するＩＣを有する無線タグの前記加工される第一の情報と、前記商品或いは該商品に付随する商品付随物に付加された前記無線タグとは別の第二の無線タグに記憶された加工される第二の情報と、前記商品或いは前記商品付随物に表示された前記加工される第一の情報及び前記加工される第二の情報に基づく加工情報とを読み取る読み取り手段と、
該読み取り手段によって読み取られた前記加工情報を所定の加工条件により加工する加工手段と、
該加工手段で加工された加工情報データと前記読み取り手段で読み取られた一又は複数の前記加工される第一の情報、及び第二の情報に基づくデータとが一致するか、しないかを判定する判定手段と、
を備える
ことを特徴とするリーダ。
【請求項７】
加工される情報であり、商品を識別するための情報を記憶するＩＣを有する無線タグの前記加工される情報と、前記商品或いは該商品に付随する商品付随物に表示された前記加工される情報に基づく加工情報とを読み取る読み取り手段と、
該読み取り手段によって読み取られた前記加工情報を所定の加工条件により加工する加工手段と、
該加工手段で加工された加工情報データと判定用データとが一致するか、しないかを判定する判定手段と、
を備える
ことを特徴とするリーダ。
【請求項８】
加工される第一の情報であり、商品を識別するための情報を記憶するＩＣを有する無線タグの前記加工される第一の情報と、前記商品或いは該商品に付随する商品付随物に表示された加工される第二の情報と、前記商品或いは前記商品付随物に表示された前記加工される第一の情報及び前記加工される第二の情報に基づく加工情報とを読み取る読み取り手段と、
該読み取り手段によって読み取られた前記加工情報を所定の加工条件により加工する加工手段と、
該加工手段で加工された加工情報データと判定用データとが一致するか、しないかを判定する判定手段と、
を備える
ことを特徴とするリーダ。
【請求項９】
加工される第一の情報であり、商品を識別するための情報を記憶するＩＣを有する無線タグの前記加工される第一の情報と、前記商品或いは該商品に付随する商品付随物に付加された前記無線タグとは別の第二の無線タグに記憶された加工される第二の情報と、前記商品或いは前記商品付随物に表示された前記加工される第一の情報及び前記加工される第二の情報に基づく加工情報とを読み取る読み取り手段と、
該読み取り手段によって読み取られた前記加工情報を所定の加工条件により加工する加工手段と、
該加工手段で加工された加工情報データと判定用データとが一致するか、しないかを判定する判定手段と、
を備える
ことを特徴とするリーダ。
【請求項１０】
加工される情報であり、商品を識別するための情報を記憶するＩＣを有する無線タグの前記加工される情報を読み取る読み取り手段と、
該読み取り手段によって読み取られた一又は複数の前記加工される情報を所定の加工条件により加工する加工手段と、
前記加工手段で加工された加工情報を、前記商品或いは該商品に付随する商品付随物に表示された前記加工される情報を所定の加工条件により加工した加工情報と比較するために表示する表示手段と、
を備える
ことを特徴とするリーダ。
【請求項１１】
加工される第一の情報であり、商品を識別するための情報を記憶するＩＣを有する無線タグの前記加工される第一の情報と、前記商品或いは該商品に付随する商品付随物に表示された加工される第二の情報とを読み取る読み取り手段と、
該読み取り手段によって読み取られた一又は複数の前記加工される第一の情報、及び前記加工される第二の情報を所定の加工条件により加工する加工手段と、
前記加工手段で加工された加工情報を、前記商品或いは前記商品付随物に表示された前記加工される第一の情報及び前記加工される第二の情報に基づく加工情報と比較するために表示する表示手段と、
を備える
ことを特徴とするリーダ。
【請求項１２】
加工される第一の情報であり、商品を識別するための情報を記憶するＩＣを有する無線タグの前記加工される第一の情報と、前記商品或いは該商品に付随する商品付随物に付加された前記無線タグとは別の第二の無線タグに記憶された加工される第二の情報とを読み取る読み取り手段と、
該読み取り手段によって読み取られた一又は複数の前記加工される第一の情報、及び前記加工される第二の情報を所定の加工条件により加工する加工手段と、
前記加工手段で加工された加工情報を、前記商品或いは前記商品付随物に表示された前記加工される第一の情報及び前記加工される第二の情報に基づく加工情報と比較するために表示する表示手段と、
を備える
ことを特徴とするリーダ。
【請求項１３】
請求項１ないし請求項１４いずれか記載のリーダにおいて、
前記加工は、暗号処理またはテーブルを用いた変換であり、
前記加工条件は、前記暗号処理に用いる鍵または前記テーブルを用いた変換に用いるテーブルを含む
ことを特徴とするリーダ。
【請求項１４】
加工される情報であり、物或いはサービスを識別するための情報を記憶するＩＣを有する無線タグの前記加工される情報と、前記物或いはサービスに表示された前記加工される情報に基づく加工情報とを読み取る読み取りステップと、
該読み取りステップによって読み取られた一又は複数の前記加工される情報を所定の加工条件により加工する加工ステップと、
該加工ステップで加工された加工情報と前記読み取りステップで読み取られた前記加工情報とが一致するか、しないかを判定する判定ステップと、
を備える
ことを特徴とする判定方法。
【請求項１５】
加工される第一の情報であり、物或いはサービスを識別するための情報を記憶するＩＣを有する無線タグの前記加工される第一の情報と、前記物或いはサービスに表示された加工される第二の情報と、前記物或いはサービスに表示された前記加工される第一の情報及び前記加工される第二の情報に基づく加工情報とを読み取る読み取りステップと、
該読み取りステップによって読み取られた一又は複数の前記加工される第一の情報、及び前記加工される第二の情報を用いて所定の加工条件により加工する加工ステップと、
該加工ステップで加工された加工情報と前記読み取りステップで読み取られた前記加工情報とが一致するか、しないかを判定する判定ステップと、
を備える
ことを特徴とする判定方法。
【請求項１６】
加工される第一の情報であり、物或いはサービスを識別するための情報を記憶するＩＣを有する無線タグの前記加工される第一の情報と、前記物或いはサービスに付加された前記無線タグとは別の第二の無線タグに記憶された加工される第二の情報と、前記物或いはサービスに表示された前記加工される第一の情報及び前記加工される第二の情報に基づく加工情報とを読み取る読み取りステップと、
該読み取りステップによって読み取られた一又は複数の前記加工される第一の情報、及び前記加工される第二の情報を用いて所定の加工条件により加工する加工ステップと、
該加工ステップで加工された加工情報と前記読み取りステップで読み取られた前記加工情報とが一致するか、しないかを判定する判定ステップと、
を備える
ことを特徴とする判定方法。
【請求項１７】
加工される情報であり、物或いはサービスを識別するための情報を記憶するＩＣを有する無線タグの前記加工される情報と、前記物或いはサービスに表示された前記加工される情報に基づく加工情報とを読み取る読み取りステップと、
該読み取りステップによって読み取られた前記加工情報を所定の加工条件により加工する加工ステップと、
該加工ステップで加工された加工情報データと前記読み取りステップで読み取られた一又は複数の前記加工される情報とが一致するか、しないかを判定する判定ステップと、
を備える
ことを特徴とする判定方法。
【請求項１８】
加工される第一の情報であり、物或いはサービスを識別するための情報を記憶するＩＣを有する無線タグの前記加工される第一の情報と、前記物或いはサービスに表示された加工される第二の情報と、前記物或いはサービスに表示された前記加工される第一の情報及び前記加工される第二の情報に基づく加工情報とを読み取る読み取りステップと、
該読み取りステップによって読み取られた前記加工情報を所定の加工条件により加工する加工ステップと、
該加工ステップで加工された加工情報データと前記読み取りステップで読み取られた一又は複数の前記加工される第一の情報、及び第二の情報に基づくデータとが一致するか、しないかを判定する判定ステップと、
を備える
ことを特徴とする判定方法。
【請求項１９】
加工される第一の情報であり、物或いはサービスを識別するための情報を記憶するＩＣを有する無線タグの前記加工される第一の情報と、前記物或いはサービスに付加された前記無線タグとは別の第二の無線タグに記憶された加工される第二の情報と、前記物或いはサービスに表示された前記加工される第一の情報及び前記加工される第二の情報に基づく加工情報とを読み取る読み取りステップと、
該読み取りステップによって読み取られた前記加工情報を所定の加工条件により加工する加工ステップと、
該加工ステップで加工された加工情報データと前記読み取りステップで読み取られた一又は複数の前記加工される第一の情報、及び第二の情報に基づくデータとが一致するか、しないかを判定する判定ステップと、
を備える
ことを特徴とする判定方法。
【請求項２０】
加工される情報であり、物或いはサービスを識別するための情報を記憶するＩＣを有する無線タグの前記加工される情報と、前記物或いはサービスに表示された前記加工される情報に基づく加工情報とを読み取る読み取りステップと、
該読み取りステップによって読み取られた前記加工情報を所定の加工条件により加工する加工ステップと、
該加工ステップで加工された加工情報データと判定用データとが一致するか、しないかを判定する判定ステップと、
を備える
ことを特徴とする判定方法。
【請求項２１】
加工される第一の情報であり、物或いはサービスを識別するための情報を記憶するＩＣを有する無線タグの前記加工される第一の情報と、前記物或いはサービスに表示された加工される第二の情報と、前記物或いはサービスに表示された前記加工される第一の情報及び前記加工される第二の情報に基づく加工情報とを読み取る読み取りステップと、
該読み取りステップによって読み取られた前記加工情報を所定の加工条件により加工する加工ステップと、
該加工ステップで加工された加工情報データと判定用データとが一致するか、しないかを判定する判定ステップと、
を備える
ことを特徴とする判定方法。
【請求項２２】
加工される第一の情報であり、物或いはサービスを識別するための情報を記憶するＩＣを有する無線タグの前記加工される第一の情報と、前記物或いはサービスに付加された前記無線タグとは別の第二の無線タグに記憶された加工される第二の情報と、前記物或いはサービスに表示された前記加工される第一の情報及び前記加工される第二の情報に基づく加工情報とを読み取る読み取りステップと、
該読み取りステップによって読み取られた前記加工情報を所定の加工条件により加工する加工ステップと、
該加工ステップで加工された加工情報データと判定用データとが一致するか、しないかを判定する判定ステップと、
を備える
ことを特徴とする判定方法。
【請求項２３】
請求項１４ないし請求項２２いずれか記載の判定方法において、
前記加工は、暗号処理またはテーブルを用いた変換であり、
前記加工条件は、前記暗号処理に用いる鍵または前記テーブルを用いた変換に用いるテーブルを含む
ことを特徴とする判定方法。
【発明の詳細な説明】
【技術分野】
【０００１】
本発明は、非接触のＩＣチップを利用して偽造防止を図る、リーダ、及び判定方法に関する。
【背景技術】
【０００２】
かばんや靴などのブランド品では、偽造品が問題となっている。ブランド品などのかばんや靴などの商品は、その本物を示すために、商品そのものの材質や製造方法などによって本物性を示している。あるいは、ロゴやタグなどをつけて本物性を示している。
【発明の開示】
【発明が解決しようとする課題】
【０００３】
商品そのものの材質や製造方法、ロゴ、タグなどは、アナログ的な情報であるため、それらによって本物性を確認することは簡単ではなかった。そのため、材質や製造方法などのアナログ的な情報から本物性を判定できる人は限られていた。そして、限られた人しか判定できないため、偽造品が本物として扱われてしまうという問題が起きていた。尚、当然のことであるが、材質や製造方法の詳細は秘密にしておく必要があった。すなわち、そのような情報が漏れてしまうと、より本物に間違えられる偽造品ができるからである。
【０００４】
本発明は、上述した事情に鑑みてなされるもので、偽造防止に優れた無線タグ、商品、商品付随物、商品セット、リーダ、印刷機、情報加工方法、及び判定方法を提供することを課題とする。
【課題を解決するための手段】
【０００５】
本願において開示される発明のうち、代表的なものの概要を簡単に説明すれば以下のとおりである。
【０００６】
すなわち、本発明のリーダは、加工される情報であり、商品を識別するための情報を記憶するＩＣを有する無線タグの前記加工される情報と、前記商品或いは該商品に付随する商品付随物に表示された前記加工される情報に基づく加工情報とを読み取る読み取り手段と、該読み取り手段によって読み取られた一又は複数の前記加工される情報を所定の加工条件により加工する加工手段と、該加工手段で加工された加工情報と前記読み取り手段で読み取られた前記加工情報とが一致するか、しないかを判定する判定手段と、を備えることを特徴としたものである。また、本発明のリーダは、加工される第一の情報であり、商品を識別するための情報を記憶するＩＣを有する無線タグの前記加工される第一の情報と、前記商品或いは該商品に付随する商品付随物に表示された加工される第二の情報と、前記商品或いは前記商品付随物に表示された前記加工される第一の情報及び前記加工される第二の情報に基づく加工情報とを読み取る読み取り手段と、該読み取り手段によって読み取られた一又は複数の前記加工される第一の情報、及び前記加工される第二の情報を用いて所定の加工条件により加工する加工手段と、該加工手段で加工された加工情報と前記読み取り手段で読み取られた前記加工情報とが一致するか、しないかを判定する判定手段と、を備えることを特徴としたものである。
【０００７】
また、本発明の判定方法は、加工される情報であり、物或いはサービスを識別するための情報を記憶するＩＣを有する無線タグの前記加工される情報と、前記物或いはサービスに表示された前記加工される情報に基づく加工情報とを読み取る読み取りステップと、該読み取りステップによって読み取られた一又は複数の前記加工される情報を所定の加工条件により加工する加工ステップと、該加工ステップで加工された加工情報と前記読み取りステップで読み取られた前記加工情報とが一致するか、しないかを判定する判定ステップと、を備えることを特徴としたものである。また、本発明の判定方法は、加工される第一の情報であり、物或いはサービスを識別するための情報を記憶するＩＣを有する無線タグの前記加工される第一の情報と、前記物或いはサービスに表示された加工される第二の情報と、前記物或いはサービスに表示された前記加工される第一の情報及び前記加工される第二の情報に基づく加工情報とを読み取る読み取りステップと、該読み取りステップによって読み取られた一又は複数の前記加工される第一の情報、及び前記加工される第二の情報を用いて所定の加工条件により加工する加工ステップと、該加工ステップで加工された加工情報と前記読み取りステップで読み取られた前記加工情報とが一致するか、しないかを判定する判定ステップと、を備えることを特徴としたものである。
【０００８】
本発明において、本物性を証明するために、従来用いられてきたロゴやタグの代わりにデータを書き換えることができないＲＯＭ（Read Only Memory）型無線タグを使用する。その無線タグあるいはデータ（加工される情報、加工される第一の情報）は、偽造ができないように管理することにより、本物性の確認を無線タグの存在で確かめることができる。商品などに取り付けられた無線タグから商品の製造元を識別できる正しい販売者情報などを読み取ることができれば、その商品を本物と認める。本物性の信頼性をより上げるために、無線タグのデータを所定の加工条件により加工したデータ（加工情報）を商品あるいは商品の例えば梱包箱（商品付随物）に表示する。ここで、加工とは、暗号処理（対称暗号、非対称暗号）、テーブルを用いた変換などであり、加工条件とは、前記暗号処理に用いる鍵、前記変換に用いるテーブルなどである。また、商品あるいは商品の梱包箱に表示された情報と無線タグのデータを所定の加工条件により加工したデータを商品あるいは商品の梱包箱に表示する。商品あるいは商品の梱包箱に表示した情報と無線タグのデータを組み合わせることにより、偽造がより困難になる。
【０００９】
本発明の商品及び商品付随物としては、かばんや靴などの商品及びこれを梱包する商品梱包箱、宝石及びその宝石の鑑定書、時計及びその時計の保証書、車両及びその車両の車検証などが一例として挙げられる。
【発明の効果】
【００１０】
本発明によると、商品あるいは商品付随物に無線タグを添付することにより、商品の本物性の確認手段を与え、本物性の確認を容易にすることができる。
【発明を実施するための最良の形態】
【００１１】
本発明の特徴は、後述する実施の形態の中で記述する。
【実施例１】
【００１２】
以下、図面を参照して本発明の実施の形態を説明する。
【００１３】
図１に非接触のＩＣチップの構成を示す。ＩＣチップ１０２は、アンテナ部１０４と電源部１０６、論理部１０８、メモリ部１１０からなる。非接触ＩＣチップは、接点を持たず、読み取り機からアンテナ部１０４に電波を送ることにより、電源の供給及びクロック、データの送受信を行う。アンテナ部１０４は、ＩＣチップのチップ内にあるものと、外部にあるものとがある。図１は、チップ内にアンテナ部を持つＩＣチップを想定したものである。チップ外にアンテナ部を持つものは、アンテナ部がチップの外付けになっている。本発明は、アンテナ部がチップ内にあるかチップ外にあるかの方式に拘わらず、いずれの方式のＩＣチップも利用できる。また、読み取り機とアンテナ部の間で非接触に情報を送受信する方式として、電磁誘導などいくつかの方式がある。本発明はいずれの送受信方式のＩＣも利用できる。
【００１４】
次に、ＩＣチップ１０２の動作について説明する。まず、アンテナ部１０４で電波を受け、電源部１０６で電源に変え、ＩＣチップ全体の回路で使用する電源を生成する。アンテナ部１０４で受けた電波から、クロック成分が取り出され、ＩＣチップ全体の回路のクロックとして使用される。論理部１０８は、読み取り機から送られてきた指令に従い、処理を行う。メモリ部１１０は、ＩＣチップに記憶すべき情報を格納する領域である。ＩＣチップには、さまざまな方式があり、メモリもＲＯＭしかもたない書き換え不可能なタイプから、ＥＥＰＲＯＭのように電気的に書き換え可能なメモリを持ち、書き換え可能なタイプがある。本発明においては、これらのいずれの方式のＩＣチップも利用可能である。
【００１５】
本発明では、製造者情報などがかかれた無線タグが他の者に渡らないように管理されたＩＣチップを使用する。本物性の確認を無線タグの存在やデータを使って行うため、無線タグが偽造を行う者に渡らないようにするなどの管理が必要である。
【００１６】
ＩＣチップには、商品を提供しているメーカの情報、あるいは個々のＩＣチップを識別するユニークな識別情報、あるいはこれらを組み合わせた情報が格納される。
【実施例２】
【００１７】
図２は、カバンなどの商品に無線タグをつけ、無線タグのデータを暗号処理したデータを表示した実施例である。無線タグのデータを読み、対称暗号あるいは非対称暗号で暗号化（所定の加工）した結果を商品に表示した例である。
【００１８】
対称暗号の一つであるＤＥＳ（Data Encryption Standard、（暗号理論の基礎、Douglas R. Stinson著、共立出版、７６ページから８８ページを参照））を使った実施例を示す。暗号鍵をｄとし、無線タグのデータＭとすると、以下の（１）の処理を行い、暗号文Ｃを作成する。
【００１９】
Ｃ＝ＤＥＳ（Ｍ、ｄ）              （１）
そのすべてあるいは一部をカバンに表示する。ここで、ＤＥＳ（）は、ＤＥＳの暗号化処理を示す。また、データＭは、ＩＣチップ１０２のメモリ部１１０に格納されているデータである。
【００２０】
データＭは、特許請求の範囲に記載された加工される情報であり、暗号文Ｃは加工情報である。また、暗号化処理は所定の加工の一つである。
【００２１】
商品に無線タグが装着され、そのデータの暗号化された物が表示されている商品の本物性を確認するためには、無線タグのデータＭを読み出し、暗号処理した結果が、カバンに表示されているＣあるいはその一部と同じであることを確認することにより行う。無線タグを商品につけ、商品につけられた無線タグを読み取り正しい製造者あるいは販売者のデータがつけられていたならば、本物であると確かめることもできるが、本実施例は、そのように無線タグをつけただけの場合に比べると、暗号鍵がわからないと、表示データを生成できないため、無線タグだけに比べると安全性が高まる。
【００２２】
この処理は、暗号処理でもなく秘密の加工処理でも良い。たとえば、無線タグのデータを簡略化し、秘密のテーブルを使った変換でも良い。第三者にそのデータが漏れなければ、正当性を証明するために使うことができる。
【００２３】
対称暗号ではなく、ＲＳＡ（暗号理論の基礎、Douglas R. Stinson著、共立出版、１２３ページから１３９ページを参照）のような非対称暗号を使うこともできる。非対称暗号の利用は、対称暗号や加工処理に比べて、暗号化する鍵と確認する鍵を分けることができるため、安全性が高い。非対称暗号ＲＳＡを使う実施例では、無線タグのデータを秘密鍵（ｄ、ｎ）で、以下の操作（２）で無線タグのデータＭの暗号化を行い、Ｃを生成する。
【００２４】
Ｃ＝Ｍ＊＊ｄ  ｍｏｄ  ｎ                （２）
ここで、“＊＊”は、べき乗を示す。このようにして生成したデータＣを商品あるいは商品の梱包箱に表示する。
【００２５】
ＲＳＡを使った場合、商品の本物性を確認する場合には、公開鍵（ｅ、ｎ）を使って商品あるいは商品の梱包箱に表示されているデータＣを以下の処理（３）を行い、Ｍを生成する。
【００２６】
Ｍ＝Ｃ＊＊ｅ  ｍｏｄ  ｎ              （３）
生成したＭが無線タグのデータＭと同じであれば、商品あるいは商品の梱包箱が本物であることを確かめることができる。この場合、Ｍを加工（暗号化）してＣにし、Ｃを逆加工（復号化）してＭに戻していることになる。なお、本願では、ここでいう逆加工も加工の一種とする。
【００２７】
その他、データＣを所定の加工条件で加工し、判定用データと比較させて商品あるいは商品の梱包箱が本物であるかどうかを確かめることもできる。
【００２８】
無線タグのデータを暗号処理したデータを商品に表示した図２の実施例では、無線タグの読み取り機（リーダ）で無線タグ３０４のデータを読み取り、そのデータを暗号化し、商品３０２に印刷等で３０６に表示を行う。実際の表示は、デザイン上の理由から商品３０２の内側に行われることが多い。本物かどうかを確認する場合、対称暗号や加工処理を使った商品であれば、無線タグの読み取り機で、無線タグ３０４のデータを読み取り、それを暗号化したデータが表示されたデータ３０６と一致すれば、本物として確かめることができる。非対称暗号を使った場合は、表示されているデータ３０６を公開鍵で復号化し、そのデータが無線タグ３０４のデータと一致すれば、本物とみなすことができる。
【実施例３】
【００２９】
図５は、商品の梱包箱（商品付随物）に、商品の無線タグのデータを暗号処理したデータを表示した実施例である。梱包箱に入っている商品５０４につけられた無線タグ５０６のデータを読み取り機（リーダ）で読み、そのデータを暗号化する。暗号化されたデータを商品５０４の梱包箱５０２の５０８に表示する。
【００３０】
より安全性をあげるには、無線タグのデータと商品あるいは商品の梱包箱に表示されている情報とを使う方法がある。
【００３１】
対称暗号のＤＥＳを使った実施例は次のとおりである。無線タグのデータをＭとし、商品あるいは商品の梱包箱にあらかじめ表示されているデータをＳとする。まず、無線タグのデータＭとあらかじめ表示されているデータＳから、データＴを生成する（処理（４））。その処理を関数ｆとする。関数ｆは、本発明では本質的ではない。関数ｆはＭとＳを単純につなぐ関数やＭとＳの論理和をとる関数であってもかまわない。
【００３２】
Ｔ＝ｆ（Ｍ、Ｓ）                  （４）
ＤＥＳ暗号の暗号鍵をｄとし、以下の処理（５）を行い、暗号文Ｃを作成する。
【００３３】
Ｃ＝ＤＥＳ（Ｔ、ｄ）              （５）
そのすべてあるいは一部をカバン（商品）に表示する。ここで、表示されているデータＳは、Ｃを表示するときに一緒に印刷で表示することも可能である。
【００３４】
商品の本物性を確認するためには、無線タグのデータＭを読み出し、表示されているデータＳとを組み合わせてＴをつくり、Ｔを暗号処理した結果Ｃが、すべてあるいはその一部がカバンに表示されていることを確認することにより行う。
【００３５】
この処理は、先の実施例と同じく、暗号処理でなく秘密の加工処理でも良い。非対称暗号ＲＳＡを使うには、先の実施例でのデータＭの代わりに、データＴ（＝ｆ（Ｍ、Ｓ））を使い、データＴを秘密鍵（ｄ、ｎ）で、暗号化を行い、Ｃを生成する（処理（６））。
【００３６】
Ｃ＝Ｔ＊＊ｄ  ｍｏｄ  ｎ              （６）
このようにして生成したデータＣを商品あるいは商品の梱包箱に表示する。
【００３７】
ＲＳＡを使った場合、商品の本物性を確認するためには、公開鍵（ｅ、ｎ）を使って商品あるいは商品の梱包箱に表示されているデータＣを以下の処理（７）を行い、Ｔを生成する。
【００３８】
Ｔ＝Ｃ＊＊ｅ  ｍｏｄ  ｎ              （７）
無線タグのデータＭと商品あるいは商品の梱包箱に表示されているデータＳとから関数ｆで生成したＴと同じであれば、商品あるいは商品の梱包箱が本物であることを確かめることができる。
【００３９】
その他、データＣを所定の加工条件で加工し、判定用データと比較させて商品あるいは商品の梱包箱が本物であるかどうかを確かめることもできる。ここで、データＭは、特許請求の範囲に記載された加工される第一の情報であり、データＳは加工される第二の情報である。
【実施例４】
【００４０】
図３は、無線タグのデータを暗号処理したデータを商品に表示した実施例である。無線タグの読み取り機で無線タグ４０４のデータを読み取り、商品に表示されている情報４０６を組み合わせて、データＴを作成し、そのデータＴを暗号化し、商品４０２に印刷等で４０８に表示を行う。実際の表示は商品４０２の内側に行われる。本物かどうかを確認する場合、対称暗号や加工処理を使った商品であれば、無線タグの読み取り機で読み取った無線タグ４０４のデータと商品に表示されているデータ４０６とからデータＴを作り、データＴを暗号化したデータが表示されたデータ４０８と一致すれば、本物として確かめることができる。非対称暗号を使った場合は、表示されているデータ４０８を公開鍵で復号化し、そのデータが無線タグ４０４のデータと表示されているデータ４０６から関数ｆで生成された物と同じであれば、本物とみなすことができる。
【実施例５】
【００４１】
図６は、商品の梱包箱に、商品の無線タグのデータを暗号処理したデータを表示した実施例である。梱包箱に入っている商品６０４につけられた無線タグ６０６のデータを読み取り機で読み、梱包箱６０２に表示されている６０８のデータＳを組み合わせて、データＴを生成する。そのデータＴを暗号化し、暗号化されたデータを商品６０４の梱包箱６０２の６１０に表示する。本物かどうかを確認する場合、対称暗号や加工処理を使った商品であれば、無線タグの読み取り機で読み取った無線タグ６０６のデータと梱包箱６０２に表示されているデータ６０８とからデータＴを作り、データＴを暗号化したデータが表示されたデータ６１０と一致すれば、本物として確かめることができる。非対称暗号を使った場合は、表示されているデータ６１０を公開鍵で復号化し、そのデータが無線タグ６０６のデータと表示されているデータ６０８から関数ｆで生成された物と同じであれば、本物とみなすことができる。
【実施例６】
【００４２】
図４は、無線タグのデータを暗号処理したデータを商品に表示した実施例である。無線タグの読み取り機で無線タグ４１４のデータを読み取り、読み取り機で読み取られる加工される第二の情報であり、無線タグ４１４とは別の第二の無線タグ４１６に記憶されている情報を組み合わせて、データＴを作成し、そのデータＴを暗号化し、商品４１２に印刷等で４１８に表示を行う。実際の表示は商品４１２の内側に行われる。本物かどうかを確認する場合、対称暗号や加工処理を使った商品であれば、無線タグの読み取り機で読み取った無線タグ４１４のデータと商品４１２に付加されている第二の無線タグ４１６のデータとからデータＴを作り、データＴを暗号化したデータが表示されたデータ４１８と一致すれば、本物として確かめることができる。非対称暗号を使った場合は、表示されているデータ４１８を公開鍵で復号化し、そのデータが無線タグ４１４のデータと第二の無線タグ４１６のデータから関数ｆで生成された物と同じであれば、本物とみなすことができる。
【実施例７】
【００４３】
図７は、商品の梱包箱に、商品の無線タグのデータを暗号処理したデータを表示した実施例である。梱包箱に入っている商品６１４につけられた無線タグ６１６のデータを読み取り機で読み、梱包箱６１２に付加されている第二の無線タグ６１８のデータＳを組み合わせて、データＴを生成する。そのデータＴを暗号化し、暗号化されたデータを商品６１４の梱包箱６１２の６２０に表示する。本物かどうかを確認する場合、対称暗号や加工処理を使った商品であれば、無線タグの読み取り機で読み取った無線タグ６１６のデータと梱包箱６１２に付加されている第二の無線タグ６１８のデータＳとからデータＴを作り、データＴを暗号化したデータが表示されたデータ６２０と一致すれば、本物として確かめることができる。非対称暗号を使った場合は、表示されているデータ６２０を公開鍵で復号化し、そのデータが無線タグ６１６のデータと第二の無線タグ６１８の表示されているデータから関数ｆで生成された物と同じであれば、本物とみなすことができる。
【実施例８】
【００４４】
図８は、梱包箱内の商品に、商品の無線タグのデータを暗号処理したデータを表示した実施例である。梱包箱に入っている商品６２４につけられた無線タグ６２６のデータを読み取り機で読み、梱包箱６２２に表示されている６２８のデータＳを組み合わせて、データＴを生成する。そのデータＴを暗号化し、暗号化されたデータを商品６２４の６３０に表示する。本物かどうかを確認する場合、対称暗号や加工処理を使った商品であれば、無線タグの読み取り機で読み取った無線タグ６２６のデータと梱包箱６２２に表示されているデータ６２８とからデータＴを作り、データＴを暗号化したデータが表示されたデータ６３０と一致すれば、本物として確かめることができる。非対称暗号を使った場合は、表示されているデータ６３０を公開鍵で復号化し、そのデータが無線タグ６２６のデータと表示されているデータ６２８から関数ｆで生成された物と同じであれば、本物とみなすことができる。
【実施例９】
【００４５】
図９は、梱包箱内の商品に、商品の無線タグのデータを暗号処理したデータを表示した実施例である。梱包箱に入っている商品６３４につけられた無線タグ６３６のデータを読み取り機で読み、梱包箱６３２に付加されている第二の無線タグ６３８のデータＳを組み合わせて、データＴを生成する。そのデータＴを暗号化し、暗号化されたデータを商品６３４の６４０に表示する。本物かどうかを確認する場合、対称暗号や加工処理を使った商品であれば、無線タグの読み取り機で読み取った無線タグ６３６のデータと梱包箱６３２に付加されている第二の無線タグ６３８のデータＳとからデータＴを作り、データＴを暗号化したデータが表示されたデータ６４０と一致すれば、本物として確かめることができる。非対称暗号を使った場合は、表示されているデータ６４０を公開鍵で復号化し、そのデータが無線タグ６３６のデータと第二の無線タグ６３８のデータから関数ｆで生成された物と同じであれば、本物とみなすことができる。
【実施例１０】
【００４６】
図１０は、商品の梱包箱に、商品の無線タグのデータを暗号処理したデータを表示した実施例である。梱包箱に入っている商品６４４につけられた無線タグ６４６のデータを読み取り機で読み、商品６４４に表示されている６４８のデータＳを組み合わせて、データＴを生成する。そのデータＴを暗号化し、暗号化されたデータを商品６４４の梱包箱６４２の６５０に表示する。本物かどうかを確認する場合、対称暗号や加工処理を使った商品であれば、無線タグの読み取り機で読み取った無線タグ６４６のデータと商品６４４に表示されているデータ６４８とからデータＴを作り、データＴを暗号化したデータが表示されたデータ６５０と一致すれば、本物として確かめることができる。非対称暗号を使った場合は、表示されているデータ６５０を公開鍵で復号化し、そのデータが無線タグ６４６のデータと表示されているデータ６４８から関数ｆで生成された物と同じであれば、本物とみなすことができる。
【実施例１１】
【００４７】
図１１は、商品の梱包箱に、商品の無線タグのデータを暗号処理したデータを表示した実施例である。梱包箱に入っている商品６５４につけられた無線タグ６５６のデータを読み取り機で読み、商品６５４に付加されている第二の無線タグ６５８のデータＳを組み合わせて、データＴを生成する。そのデータＴを暗号化し、暗号化されたデータを商品６５４の梱包箱６５２の６６０に表示する。本物かどうかを確認する場合、対称暗号や加工処理を使った商品であれば、無線タグの読み取り機で読み取った無線タグ６５６のデータと商品６５４に付加されている第二の無線タグ６５８のデータＳとからデータＴを作り、データＴを暗号化したデータが表示されたデータ６６０と一致すれば、本物として確かめることができる。非対称暗号を使った場合は、表示されているデータ６６０を公開鍵で復号化し、そのデータが無線タグ６５６のデータと第二の無線タグ６５８のデータから関数ｆで生成された物と同じであれば、本物とみなすことができる。
【実施例１２】
【００４８】
図１２は、商品の梱包箱に、複数の商品の無線タグのデータを暗号処理したデータを表示した実施例である。梱包箱に入っている商品５１４、５１４、５１４（同じ商品とは限らない）につけられた各無線タグ５１６、５１６、５１６の各データを読み取り機で読み、その各データに基づいて暗号化する。暗号化されたデータを梱包箱５１２の５１８に表示する。本物かどうかを確認する場合、対称暗号や加工処理を使った商品であれば、無線タグの読み取り機で読み取った各無線タグ５１６の各データを読み出し、暗号処理した結果が、梱包箱５１２のデータ５１８と一致すれば、本物として確かめることができる。非対称暗号を使った場合は、表示されているデータ５１８を公開鍵で復号化し、そのデータが各無線タグ５１６のデータと一致すれば、本物とみなすことができる。
【実施例１３】
【００４９】
図１３は、商品の梱包箱に、複数の商品の無線タグのデータを暗号処理したデータを表示した実施例である。梱包箱に入っている商品６６４、６６４、６６４（同じ商品とは限らない）につけられた各無線タグ６６６、６６６、６６６の各データを読み取り機で読み、梱包箱６６２に表示されている６６８のデータＳを組み合わせて、データＴを生成する。そのデータＴを暗号化し、暗号化されたデータを梱包箱６６２の６７０に表示する。本物かどうかを確認する場合、対称暗号や加工処理を使った商品であれば、無線タグの読み取り機で読み取った各無線タグ６６６、６６６、６６６の各データと梱包箱６６２に表示されているデータ６６８とからデータＴを作り、データＴを暗号化したデータが表示されたデータ６７０と一致すれば、本物として確かめることができる。非対称暗号を使った場合は、表示されているデータ６７０を公開鍵で復号化し、そのデータが各無線タグ６６６の各データと表示されているデータ６６８から関数ｆで生成された物と同じであれば、本物とみなすことができる。
【実施例１４】
【００５０】
図１４は、商品の無線タグを読み取り、データを確認する読み取り機（リーダ）である。読み取り機の読み取り手段としてのアンテナ７０４で無線タグを読み取り、読み取り機に内蔵されている加工手段としての暗号処理でデータを加工し（所定の加工条件、ここでは暗号処理で加工）、その結果をディスプレイ７０６に表示する。そのデータが商品あるいは商品の梱包箱に印刷されているデータ（３０６、４０８、５０８、６１０等）と同じであれば、本物と確認することができる。商品あるいは梱包箱に印刷されているデータ４０６あるいは６０８を使って加工する場合は、文字認識装置を使って読み込むか、キー７０８から入力し（これらも読み取り手段とする）、無線タグのデータと暗号処理することにより、データを作成し、そのデータが表示されているデータ（４０８、６１０）と同じであるかを確認することができる。
【００５１】
読み取り機の構成の他の例としては、無線タグのデータ（情報）と商品あるいは商品の梱包箱に表示されたデータ（加工情報）とを読み取る読み取り手段と、その読み取り手段によって読み取られた一又は複数の情報を所定の加工条件により加工する加工手段と、その加工手段で加工された加工情報と読み取り手段で読み取られた加工情報とが一致するか、しないかを判定する判定手段と、を備えて読み取り機を構成することができる。尚、本願におけるリーダのディスプレイには、ユーザーが判断しやすいように、前記判定手段で一致していると判定すれば、ＯＫ、ＹＥＳ、青など、前記判定手段で一致していないと判定すれば、ＮＧ、ＮＯ、赤など、文字、色で判定結果を表示することができる。また、文字、色の代わりに音で知らせるようにしてもよい。
【００５２】
また、無線タグのデータ（第一の情報）と商品あるいは商品の梱包箱に表示されたデータ（第二の情報、加工情報）とを読み取る読み取り手段と、その読み取り手段によって読み取られた一又は複数の第一の情報、及び第二の情報を用いて所定の加工条件により加工する加工手段と、その加工手段で加工された加工情報と読み取り手段で読み取られた加工情報とが一致するか、しないかを判定する判定手段と、を備えて読み取り機を構成することができる。
【００５３】
また、無線タグのデータ（第一の情報）と、商品あるいは商品の梱包箱に付加された第二の無線タグのデータ（第二の情報）と、商品あるいは商品の梱包箱に表示されたデータ（加工情報）とを読み取る読み取り手段と、その読み取り手段によって読み取られた一又は複数の第一の情報、及び第二の情報を用いて所定の加工条件により加工する加工手段と、その加工手段で加工された加工情報と読み取り手段で読み取られた加工情報とが一致するか、しないかを判定する判定手段と、を備えて読み取り機を構成することができる。
【００５４】
また、無線タグのデータ（情報）と商品あるいは商品の梱包箱に表示されたデータ（加工情報）とを読み取る読み取り手段と、その読み取り手段によって読み取られた加工情報を所定の加工条件により加工する加工手段と、その加工手段で加工された加工情報データと読み取り手段で読み取られた一又は複数の情報とが一致するか、しないかを判定する判定手段と、を備えて読み取り機を構成することができる。
【００５５】
また、無線タグのデータ（第一の情報）と商品あるいは商品の梱包箱に表示されたデータ（第二の情報、加工情報）とを読み取る読み取り手段と、その読み取り手段によって読み取られた加工情報を所定の加工条件により加工する加工手段と、その加工手段で加工された加工情報データと読み取り手段で読み取られた一又は複数の第一の情報、及び第二の情報に基づくデータとが一致するか、しないかを判定する判定手段と、を備えて読み取り機を構成することができる。
【００５６】
また、無線タグのデータ（第一の情報）と、商品あるいは商品の梱包箱に付加された第二の無線タグのデータ（第二の情報）と、商品あるいは商品の梱包箱に表示されたデータ（加工情報）とを読み取る読み取り手段と、その読み取り手段によって読み取られた加工情報を所定の加工条件により加工する加工手段と、その加工手段で加工された加工情報データと読み取り手段で読み取られた一又は複数の第一の情報、及び第二の情報に基づくデータとが一致するか、しないかを判定する判定手段と、を備えて読み取り機を構成することができる。
【００５７】
また、無線タグのデータ（情報）と商品あるいは商品の梱包箱に表示されたデータ（加工情報）とを読み取る読み取り手段と、その読み取り手段によって読み取られた加工情報を所定の加工条件により加工する加工手段と、その加工手段で加工された加工情報データと判定用データとが一致するか、しないかを判定する判定手段と、を備えて読み取り機を構成することができる。
【００５８】
また、無線タグのデータ（第一の情報）と商品あるいは商品の梱包箱に表示されたデータ（第二の情報、加工情報）とを読み取る読み取り手段と、その読み取り手段によって読み取られた加工情報を所定の加工条件により加工する加工手段と、その加工手段で加工された加工情報データと判定用データとが一致するか、しないかを判定する判定手段と、を備えて読み取り機を構成することができる。
【００５９】
また、無線タグのデータ（第一の情報）と、商品あるいは商品の梱包箱に付加された第二の無線タグのデータ（第二の情報）と、商品あるいは商品の梱包箱に表示されたデータ（加工情報）とを読み取る読み取り手段と、その読み取り手段によって読み取られた加工情報を所定の加工条件により加工する加工手段と、その加工手段で加工された加工情報データと判定用データとが一致するか、しないかを判定する判定手段と、を備えて読み取り機を構成することができる。
【００６０】
尚、読み取り機の上記他の例の説明中に記載された手段をステップに読み替えることで、読み取り機によって商品あるいは商品の梱包箱（これに限らず物あるいはサービスとしてもよい）が本物かどうか判定するための判定方法とすることができる。
【００６１】
無線タグのデータを暗号化したデータを印刷するためには、図１４の実施例に印刷機能（印刷手段）を付加することにより実現できる。無線タグのデータをアンテナ７０４で読み取り、そのデータを加工し、印刷機能で商品あるいは梱包箱に印刷するものである。
【実施例１５】
【００６２】
読み取り機に印刷機能（印刷手段）を付加した印刷機としては、無線タグのデータ（情報）を読み取る読み取り手段と、その読み取り手段によって読み取られた一又は複数の情報を所定の加工条件により加工する加工手段と、その加工手段で加工された加工情報を、商品或いは該商品に付随する商品付随物に印刷する印刷手段と、を備えて印刷機を構成することができる。
【００６３】
また、無線タグのデータ（第一の情報）と商品あるいは商品の梱包箱に表示されたデータ（第二の情報）とを読み取る読み取り手段と、その読み取り手段によって読み取られた一又は複数の第一の情報、及び第二の情報を所定の加工条件により加工する加工手段と、その加工手段で加工された加工情報を、商品或いは該商品に付随する商品付随物に印刷する印刷手段と、を備えて印刷機を構成することができる。
【００６４】
また、無線タグのデータ（第一の情報）と、商品あるいは商品の梱包箱に付加された第二の無線タグのデータ（第二の情報）とを読み取る読み取り手段と、その読み取り手段によって読み取られた一又は複数の第一の情報、及び第二の情報を所定の加工条件により加工する加工手段と、その加工手段で加工された加工情報を、商品或いは該商品に付随する商品付随物に印刷する印刷手段と、を備えて印刷機を構成することができる。
【００６５】
尚、印刷機の上記説明中に記載された手段をステップに、また、印刷を表示に、商品あるいは商品の梱包箱を物あるいはサービスに読み替えることで、情報加工方法とすることができる。
【００６６】
本発明において、商品あるいは商品梱包箱に表示されている情報は、文字以外にバーコードのような方法でも可能であり、表示方法は問わないものとする。また、商品あるいは商品梱包箱に表示されている情報（加工情報）は、書き込み可能なＩＣを有する無線タグを付加して、これに記憶させてもよいものとする。その他、本発明は本発明の主旨を変えない範囲で種々変更実施可能なことは勿論である。
【図面の簡単な説明】
【００６７】
【図１】非接触ＩＣチップの概略構成図である。
【図２】無線タグを商品に付加し、その無線タグのデータを暗号化したデータを商品に表示した例を示す説明図である。
【図３】無線タグを商品に付加し、その無線タグのデータと商品に印刷されたデータとを暗号化したデータを商品に表示した例を示す説明図である。
【図４】無線タグを商品に付加し、その無線タグのデータと商品に付加した第二のタグに記憶されたデータとを暗号化したデータを商品に表示した例を示す説明図である。
【図５】無線タグを商品に付加し、その無線タグのデータを暗号化したデータを梱包箱に表示した例を示す説明図である。
【図６】無線タグを商品に付加し、その無線タグのデータと梱包箱に表示したデータとを暗号化したデータを梱包箱に表示した例を示す説明図である。
【図７】無線タグを商品に付加し、その無線タグのデータと梱包箱に付加した第二のタグに記憶されたデータとを暗号化したデータを梱包箱に表示した例を示す説明図である。
【図８】無線タグを商品に付加し、その無線タグのデータと梱包箱に表示したデータとを暗号化したデータを商品に表示した例を示す説明図である。
【図９】無線タグを商品に付加し、その無線タグのデータと梱包箱に付加した第二のタグに記憶されたデータとを暗号化したデータを商品に表示した例を示す説明図である。
【図１０】無線タグを商品に付加し、その無線タグのデータと商品に表示したデータとを暗号化したデータを梱包箱に表示した例を示す説明図である。
【図１１】無線タグを商品に付加し、その無線タグのデータと商品に付加した第二のタグに記憶されたデータとを暗号化したデータを梱包箱に表示した例を示す説明図である。
【図１２】無線タグを複数の商品に付加し、その無線タグのデータを暗号化したデータを梱包箱に表示した例を示す説明図である。
【図１３】無線タグを複数の商品に付加し、その無線タグのデータと梱包箱に表示したデータとを暗号化したデータを梱包箱に表示した例を示す説明図である。
【図１４】読み取り機（リーダ）の説明図である。
【符号の説明】
【００６８】
１０２…………ＩＣチップ
３０２…………無線タグが実装されている商品
３０４…………無線タグ
３０６…………無線タグのデータを暗号化し、印刷されているデータ
４０２…………無線タグが実装されている商品
４０４…………無線タグ
４０６…………あらかじめ表示されているデータ
４０８…………無線タグのデータと４０６とを暗号化し、印刷されているデータ
５０２…………商品が入っている梱包箱
５０４…………無線タグ付き商品
５０８…………無線タグのデータを暗号化し、印刷されているデータ
６０２…………商品が入っている梱包箱
６０４…………無線タグ付き商品
６０８…………あらかじめ表示されているデータ
６１０…………無線タグのデータと６０８とを暗号化し、印刷されているデータ
【図１】
2005216316.tif 000003
【図２】
2005216316.tif 000004
【図３】
2005216316.tif 000005
【図４】
2005216316.tif 000006
【図５】
2005216316.tif 000007
【図６】
2005216316.tif 000008
【図７】
2005216316.tif 000009
【図８】
2005216316.tif 000010
【図９】
2005216316.tif 000011
【図１０】
2005216316.tif 000012
【図１１】
2005216316.tif 000013
【図１２】
2005216316.tif 000014
【図１３】
2005216316.tif 000015
【図１４】
2005216316.tif 000016